(57)【要約】【課題】引出しガイドに対して引出し又はこれと同様のものを幅方向でセンタリングするための装置を提供する。【解決手段】引出し（１３）又はこれと同様のものを幅方向でセンタリングするための装置（１０）は、引出し（１３）を固定するためのフッキング装置（１２）、及び引出しガイド（１１）の各々に接続可能な第１、及び第２の連結部品（２６，２７）を含み、第１、及び第２の連結部品（２６，２７）の少なくとも一方は、前記第１、及び第２の連結部品（２６，２７）の間の強制的及び形状的な少なくとも一方の係合を生じさせるために、幅方向において弾性的に撓み得る手段に適合し、この弾性的に撓み得る手段は、例えば、フッキング装置（１２）及び引出しガイド（１１）の間のいかなる幅方向の遊隙も補償する。【選択図】図１
2014526288.tif 000002
【特許請求の範囲】
【請求項１】
引出し（１３）又はこれと同様のものを家具本体に事前に取り付け可能な引出しガイド（１１）に対して幅方向でセンタリングするための装置（１０）であって、
前記引出し（１３）は、フッキング装置（１２）によって、前記引出しガイド（１１）に固定可能であり、
前記フッキング装置は、前記引出し（１３）に固定可能で、且つ前記引出しガイド（１１）の引抜き可能部品（１１Ａ）に設けられる穴（１５）の取り付け位置に挿入可能なフッキング要素（１４）を提供するものであり、
センタリング装置（１０）は、前記フッキング装置（１２）、及び前記引出しガイド（１１）の各々に接続可能な第１、及び第２の連結部品（２６，２７）を含んでおり、
その特徴とするところは、
前記第１、及び第２の連結部品（２６，２７）の少なくとも一方は、前記第１、及び第２の連結部品（２６，２７）の間の強制的及び形状的な少なくとも一方の係合を生じさせるために、幅方向において弾性的に撓み得る手段をともなって構成され、前記フッキング装置（１２）と前記引出しガイド（１１）との間のいかなる幅方向の遊隙も補償するものである、家具の引出しのためのセンタリング装置。
【請求項２】
前記第１、及び第２の連結部品（２６，２７）が、前記フッキング装置（１２）及び前記引出しガイド（１１）のうちの一方に接続可能なくさび形のセンタリング要素（２６）を含み、且つ前記フッキング装置（１２）及び前記引出しガイド（１１）のうちの異なる方にセンタリング要素（２６）のための係合座（２８）を含むことを特徴とする、請求項１に記載のセンタリング装置。
【請求項３】
前記センタリング要素（２６）は、中心の幅方向のスリット（２９）によって間隔の空いた２つの幅方向の腕（２６Ａ，２６Ｂ）を有するフォーク形状であり、前記２つの幅方向の腕（２６Ａ，２６Ｂ）は幅方向において弾性的に撓み得ることを特徴とする、請求項２に記載のセンタリング装置。
【請求項４】
前記くさび形のセンタリング要素（２６）は、ガイド（１１）の幅方向である引き抜き軸方向にしたがってフッキング装置（１２）から延びることを特徴とする、請求項２または３に記載のセンタリング装置。
【請求項５】
前記係合座（２８）は、引出しガイド（１１）の前面端部に向かって分岐する傾斜面（２８´）を有し、くさび形の要素（２６）の傾斜面（２６´）と連携して、上述した弾性的な撓みを引き起こすことを特徴とする、請求項２〜４のいずれかに記載のセンタリング装置（１０）。
【請求項６】
前記センタリング要素（２６）の傾斜面（２６´）は、同じセンタリング要素（２６）の端部でのみ延び、同じ端部に向かって収斂しており、幅方向である軸線方向に関して、前記係合座（２８）の傾斜面（２８´）よりも大きな角度で収斂することを特徴とする、請求項５に記載のセンタリング装置。
【請求項７】
前記センタリング要素（２６）と関連のある前記係合座（２８）とは、引出し（１３）の取り付け状態において、相互の間で、実質上、軸線方向に一直線上に方向付けられて、適合され且つ配置されることを特徴とする、請求項２〜６のいずれかに記載のセンタリング装置。
【請求項８】
前記第２の連結部品（２７）は、前記引出しガイド（１１）の前面端部に固定可能な追加部品（３０）に設けられることを特徴とする、請求項１〜７のいずれかに記載のセンタリング装置。
【請求項９】
前記第１の連結部品（２６）は、幅方向の調整手段（３１，３２）によって、前記フッキング装置（１２）に接続可能であることを特徴とする、請求項１〜８のいずれかに記載のセンタリング装置。
【請求項１０】
前記幅方向の調整手段（３１，３２）は、連結部品（２６）に一体のねじ状ピン（３１）と、前記フッキング装置（１２）の本体（１９）によって回転可能である一方で軸線方向からは移動できないように支持される駆動雌ねじ（３２）とを含むことを特徴とする、請求項９に記載のセンタリング装置。
【請求項１１】
引出し（１３）又はこれと同様のものを家具本体に事前に取り付け可能な幅方向の引出しガイド（１１）に固定するためのフッキング装置（１２）であって、
引出し（１３）に固定可能な本体（１６）と、引出しガイド（１１）に設けられる穴（１５）に挿入可能なフッキング要素（１４）とを含み、
請求項１〜１０のいずれかに記載のセンタリング装置（１０）の前記第１の連結部品（２６）をさらに含むことによって特徴付けられる、フッキング装置。
【請求項１２】
引出し（１３）又はこれと同様のものを家具本体に事前に取り付け可能な引出しガイド（１１）に対して幅方向でセンタリングするための方法であって、
前記引出し（１３）はフッキング装置（１２）によって引出しガイド（１１）に固定可能であり、
第１の連結部品（２６）をフッキング装置（１２）に接続するステップと、第２の連結部品（２７）を引出しガイド（１１）に接続するステップと、フッキング装置（１２）と引出しガイド（１１）との間のいかなる幅方向の遊隙も補償するため、第１、及び第２の連結部品（２６，２７）の少なくとも一方が幅方向において弾性的な変形を生じ易くすることによって、前記第１、及び第２の連結部品（２６，２７）の間の強制的及び形状的な少なくとも一方の係合を生じさせるステップとを含むことによって特徴付けられる、引出し（１３）又はこれと同様のものを幅方向でセンタリングするための方法。
【発明の詳細な説明】
【技術分野】
【０００１】
本発明は、引出しガイドに対して引出し又はこれと同様のものを幅方向でセンタリングするための装置及び方法に関するものである。また、本発明は、引出しを、センタリング装置を有する引出しガイドに固定するためのフッキング装置に関するものである。フッキング装置は、引出しに適用可能であり、且つ引出しガイドに設けられる穴の取り付け位置に挿入可能なフッキング要素を提供する。
【背景技術】
【０００２】
引出し及びこれと同様のものを引出しガイドに対して迅速に固定するというフッキング装置の用途は既知である。これら既知のフッキング装置は、引出しの下側の面に適用可能であり、引出しガイドの幅方向に設けられる穴の取り付け位置に挿入する手動で制御可能なフッキング要素を提供する。
【０００３】
フッキング装置と引出しガイドとの間の幅方向における相互の位置取りのために、装置は、さらに、センタリング要素を提供する。センタリング要素は、例えば、引出しガイドの一部に係合し得るＵ字断面を有する。
【０００４】
しかしながら、不可避な寸法の公差、及び様々な部品の間の遊隙（ｐｌａｙｓ）のために、ガイドに対する引出しの幅方向の位置合わせが不正確となり得る。これによって、一旦、引出しの前面に取り付けられた後、相互に関して一方にずれ得るという問題が生じる。
【０００５】
重ねて、幅方向の遊隙のために、装置と引出しガイドの係合は、さらに不安定となり、例えば、引出しが完全に引き出されたときの過度の負荷が掛かった状態の次に生じ得る、引出しのフックはずれという危険をともなう。
【０００６】
さらに、フッキング装置のセンタリング要素の内軸（ｉｎｔｅｒａｘｉｓ）と、引抜きガイドの内軸との間に相当な相違がある場合、引出しを引抜きガイドに連結するときセンタリング要素のつまり及び破損が生じ得る。これらは、壊れた装置を交換すれば解決し得るということを除いて問題となる。
【０００７】
最後に、係合装置が、引出しの幅方向の調整ステップを含む場合、幅方向の遊隙の存在が、幅方向の調整自体の有効性及び正確さを減少させる。
【０００８】
したがって、引出しガイドに対して引出し又はこれと同様のものを幅方向でセンタリングするための装置、及びこのセンタリング装置に設けられるフッキング装置のタイプのものが必要となる。これらは、上述した問題を排除すると同時に、構造的に単純なものとし得ること且つ取り付けを容易とし得ることが考慮される。
【発明の概要】
【発明が解決しようとする課題】
【０００９】
したがって、本発明の主たる目的は、引出しガイドに対して引出し又はこれと同様のものを幅方向でセンタリングするための装置を提供することであり、特別な場合においては、引出しガイドへ引出しを固定するために引出しに適用可能なフッキング装置のタイプのものが設けられる。このフッキング装置のタイプのものは、構造的に単純であり、且つ幅方向において、引出しの正確な位置取り、特に、引出しの幅方向の調整が含まれる引出しの正確な位置取りを可能とする。
【００１０】
本発明のさらなる目的は、引出しの容易な取り付け、つまり及び破損の排除、並びに引出しの安定且つ確実な連結の維持を可能にすることを考慮した、幅方向のセンタリングのための装置、及びフッキング装置のタイプのものを提供することである。
【課題を解決するための手段】
【００１１】
上記した内容は、引出し又はこれと同様のものを家具本体に事前に取り付け可能な引出しガイドに対して幅方向にセンタリングのための装置を用いて達成される。引出しは、引出しに固定可能であると共にフッキング要素を提供するフッキング装置を用いて、引出しガイドに固定可能である。このフッキング要素は、引出しガイドの引抜き可能部品に設けられる穴の取り付け位置に挿入可能である。フッキング装置及び上記した引出しガイドの各々に接続可能な、第１、及び第２の連結部品を含むセンタリング装置は、上記した連結部品の少なくとも一方が、幅方向において弾性的に撓み得る手段に適合されることを特徴とする。これは、これらの連結部品同士の間で強制的及び／又は形状的な係合を生じさせ、フッキング装置と引出しガイドとの間に存在し得るいかなる遊隙も補償するためのものである。
【００１２】
本発明は、さらに、引出し又はこれと同様のものを家具本体に事前に取り付け可能な引出しガイドに対して幅方向にセンタリングするための方法を開示する。フッキング装置を用いて引出しガイドに固定される引出しは、第１の連結部品をフッキング装置に接続するステップと、第２の連結部品を引出しガイドに接続するステップと、フッキング装置と引出しガイドとの間のいかなる幅方向の遊隙も補償するため、第１、及び第２の連結部品の少なくとも一方が幅方向の弾性的な変形を生じ易くすることによって、上記した第１、及び第２の連結部品の間の強制的及び／又は形状的な係合を引き起こすステップとを含む。本発明のさらなる特徴は、後述の特許請求の範囲において定義される。
【発明の効果】
【００１３】
本発明の特徴及び利点は、引出しガイドに対して引出し又はこれと同様のものを幅方向にセンタリングするための装置、及びこの装置と共に設けられるフッキング装置の、好ましい、しかしながら排他的でない、付随する図面に関連した、後述の実施の形態から完全に明らかにされる。
【図面の簡単な説明】
【００１４】
【図１】本発明に係るセンタリング装置に設けられるフッキング装置を用いて、ガイドに取り付けられる模式的に示された引出しと共に、引出しガイドを上方から見た図である。
【図２】図１の拡大詳細図である。
【図３】本発明に係るセンタリング装置に設けられる、引出し及び引出しガイドを固定するためのフッキング装置を上方から見た分解斜視図である。
【図４】本発明に係るセンタリング装置の連結部品に設けられるフッキング装置を下方から見た斜視図である。
【図５】図４のフッキング装置を下方から見た分解斜視図である。
【発明を実施するための形態】
【００１５】
これらの図は、本発明に係る引出し又はこれと同様のもののための幅方向のセンタリング装置を示す。センタリング装置の全体は、参照番号１０によって示される。センタリング装置は、家具本体に事前に取り付け可能な引出しのための引出しガイド１１の引抜き可能部品１１Ａと、フッキング装置１２との間に配置される。フッキング装置１２は、引出し１３に固定可能であり、且つガイドの引抜き可能部品１１Ａに設けられる穴１５の取り付け位置に挿入可能なフッキング要素１４を有するタイプのものである。
【００１６】
特に、フッキング装置１２は、引出し１３の前面壁１７、及び基部（ｂｏｔｔｏｍ）１８に固定可能な第１の本体部品１６を含む。第１の本体部品１６は、例えば、第１の本体部品１６に第２の本体部品１９が滑り込めるように接続されて固定されるだけでなく、ボルトを用いて固定可能である。また、調整手段によって、引出し１３の幅方向である引抜き方向に関して調整可能である。調整手段は、例えば、第２の本体部品１９及びナット２１に接続される幅方向のボルト２０を含み、手動で制御可能であり、回転可能に支持される一方で、第１の本体部品１６の軸方向からはずれない。
【００１７】
上述したフッキング要素１４は、少なくとも幅方向の遊隙を補償する（ｔａｋｅ  ｕｐ）等して、ガイド１１の穴１５との選択的な係合を可能とするために、例えば、段付きの係合端部１４´を有するカーソルの形式である。フッキング要素１４は、引出しガイド１１へ向くようにされて、フッキング装置１２の幅方向で突き出る等して、第２の本体部品１９によって横向きに滑らせて運ばれる。フッキング要素１４の手動操作を可能とするために、レバー２２は、例えば、第２の本体部品１９から延びるピン２３の周りを往復して動作するように構成される。
【００１８】
フッキング装置１２は、また、引出しの高さを調整する手段を含む。この高さを調整する手段は、例えば、第２の本体部品１９によって横向きに滑らせて運ばれ、且つ把持取手２５によって手動で制御可能なくさび要素２４の形式である。
【００１９】
先に述べたように、本発明に係る幅方向のセンタリング装置１０は、ガイドの引抜き可能部品１１Ａとフッキング装置１２との間に配置される。
【００２０】
特に、センタリング装置１０は、フッキング装置１２と接続可能な第１の連結部品２６と、ガイドの引抜き可能部品１１Ａに接続される第２の連結部品２７とを含み、これらは相互に係合することが可能である。
【００２１】
本発明によると、第１の連結部品２６、及び第２の連結部品２７の少なくとも一方は、いかなる遊隙、及びフッキング装置１２とガイド１１の取外し可能部品１１Ａとの間の心のずれ（ｍｉｓａｌｉｇｎｍｅｎｔ）も補償する等して、各々の間の強制的な係合、及び／又は形状的な係合を引き起こすために、幅方向において弾性的に撓み又は変形し得る手段に形成される。
【００２２】
説明した実施の形態では、幅方向において弾性的に撓み得る手段が設けられる連結部品は、フッキング装置１２に接続される第１の連結部品２６である。しかしながら、弾性的に撓み得る手段が設けられる連結部品は、その代わりに、ガイドの引抜き可能部品１１Ａに接続される第２の連結部品２７であってもよい。
【００２３】
弾性的に撓み得る手段が設けられる連結部品は、好ましくは、幅方向である引抜きの軸線方向に沿ってフッキング装置１２から延びるくさび形のセンタリング要素２６を含む。一方で、第２の連結部品２７は、これらに対応して方向付けられたセンタリング要素２６のための係合座２８を含む。
【００２４】
センタリング要素２６、及び相対的な係合座２８は、いかなる遊隙及び構造的な公差を除いて、引出し１３が引出しガイド１１に取り付けられるとき、実質上、相互に一直線上に方向付けられるようにして配置される。特に、説明される実施の形態では、センタリング要素２６は、第１の本体部品１６の幅方向の突出部１６´において延びる。
【００２５】
センタリング要素２６が弾性的に撓むことによって、フッキング装置１２の連結部品と、引出しガイド１１とのいかなる重要な心のずれも、効果的に埋め合わされ、これにより、連結部品の各々のつまり及び破損を防止する。
【００２６】
外向きに弾性的に撓むことを実現するために、センタリング要素２６は、直立した平面に沿って延びる幅方向のスリット２９を有する。このようにして、センタリング要素２６は、幅方向において、間隔が空き且つ弾性的に撓み得る、２つの幅方向の腕２６Ａ，２６Ｂに分岐される。
【００２７】
係合座２８は、ガイドの引抜き可能部品１１Ａの前面端部に向かって広がる傾斜面２８´を有する。この傾斜面２８´は、くさび要素２６の傾斜面２６´と連携する。この連携は、センタリング要素２６と係合座２８自身との間の、強制的及び／又は形状的な係合を達成する等して、腕２６Ａ，２６Ｂの幅方向の弾性的な撓みを引き起こす等する。これは、フッキング装置１２とガイド１１の引抜き可能部品１１Ａとの間の、遊隙及び幅方向の心のずれを補償するために必要である。
【００２８】
傾斜面２６´は、好ましくは、センタリング要素２６の端部の区域に跨がり、幅方向である軸線方向に関して、係合座２８の傾斜面２８´よりも大きな角度で、端部に向かって収斂する。
【００２９】
係合座２８を備える第２の連結部品２７は、好ましくは、追加部品３０に設けられる。例えば、合成樹脂から成り、引抜きガイド１１の引抜き可能部品１１Ａの前面端部に固定可能である。
【００３０】
第１の連結部品２６は、フッキング装置１２に接続可能である。例えば、第２の本体部品１９と一体にして形成されることによって、又は図を用いて説明した好ましい実施の形態であるフッキング装置１２に好ましくは設けられる引出しの幅方向の調整手段に接続することによって、接続可能である。
【００３１】
説明したように、上述した引出しの幅方向の調整手段は、例えば、連結部品２６に一体のねじ状ピン３１と、フッキング装置１２の第２の本体部品１９によって回転可能である一方で軸線方向からは移動ができないように支持される駆動雌ねじ３２とを含んでもよい。
【００３２】
センタリング装置１０の連結部品２６，２７が相互に係合するとき、調整手段が、フッキング装置１２とガイド１１とが相互に、横向きに近づいたり離れたりすることを可能とし、引出しの幅方向の移動を引き起こす。
【００３３】
さらに、本発明に係る、センタリング要素２６の弾性的に撓む能力の存在が、幅方向の遊隙を補償することにより、即時かつ正確な引出しの幅方向の調整を可能とする。
【００３４】
しかしながら、幅方向の調整手段は、異なるように形成されてもよい。
【００３５】
前述した内容から、本発明のセンタリング装置によって、幅方向において、ガイドに対して引出しの正確な位置取り、及び引出しガイドに対するフッキング装置の連結の高い安定性を達成することが可能となり、例えば引出しが開いているときの負荷の増加した状態において、引出しのフックはずれが生じる可能性の危険を回避する。
【００３６】
しかしながら、本発明に係るセンタリング装置は、発明の概念の範囲内での変更や変形に柔軟に対応可能である。さらに、構造的な詳細は、技術的に等価な要素によって置き換え可能である。
【符号の説明】
【００３７】
１０  センタリング装置、１１  引出しガイド、１１Ａ  引抜き可能部品、１２  フッキング装置、１３  引出し、１４  フッキング要素、１４´  段付きの係合端部、１５  穴、１６  第１の本体部品、１６´  突出部、１７  前面壁、１８  基部（ｂｏｔｔｏｍ）、１９  第２の本体部品、２０  幅方向のボルト、２１  ナット、２２  レバー、２３  ピン、２４  くさび要素、２５  把持取手、２６  第１の連結部品（センタリング要素）、２６´，２８´  傾斜面、２６Ａ，２６Ｂ  幅方向の腕、２７  第２の連結部品、２８  係合座、２９  幅方向のスリット、３０  追加部品、３１  ねじ状ピン、３２  駆動雌ねじ。
【図１】
2014526288.tif 000003
【図２】
2014526288.tif 000004
【図３】
2014526288.tif 000005
【図４】
2014526288.tif 000006
【図５】
2014526288.tif 000007
【国際調査報告】
2014526288.tif 000008
2014526288.tif 000009
2014526288.tif 000010